(57)【要約】【課題】  転送に用いる伝送機器の条件に応じて、可能な限り新しい複製を持つことができるデータ複製システム、その方法、データ複製装置およびプログラムを提供する。【解決手段】  本番サイト１０は、静止点作成部１４で任意の時点における業務ディスク１２の確定されたデータを複製元静止点ディスク１５へ保存し、データ複製部１６でネットワーク１００を介して遠隔サイト２０の複製先静止点ディスク２１へ複製する。遠隔サイト２０は、前静止点保持部２２で複製先静止点ディスク２１のデータを前静止点保持ディスク２４へ保存し、データの複製の完了を本番サイト１０に通知する。【選択図】  図１
2006127421.tif 000002
【特許請求の範囲】
【請求項１】
本番サイトと、その本番サイトの複製データを保存する遠隔サイトが、ネットワークを介して接続されているデータ複製システムであって、
前記本番サイトは、業務アプリケーションで実行された処理に基づくデータを保存する業務ディスクと、
任意の時点において確定された前記業務ディスクのデータを保存する複製元静止点ディスクと、
前記業務ディスクに業務アプリケーションで実行された処理に基づくデータを書き込む業務アプリケーション手段と、
静止点作成手段に対してデータ複製の開始を通知して、前記静止点作成手段から静止点作成完了を確認した後、データ複製手段にデータ複製の開始を通知するデータ作成制御手段と、
任意の時点における前記業務ディスクのデータを確定させて、その確定されたデータを前記複製元静止点ディスクへ保存する静止点作成手段と、
データ作成制御手段に静止点作成完了を通知する静止点作成手段と、
前記ネットワークを介して前記複製元静止点ディスクのデータを前記遠隔サイトの複製先静止点ディスクへ複製するデータ複製手段と、を備え、
前記遠隔サイトは、前記複製元静止点ディスクのデータの複製データを保存する前記複製先静止点ディスクと、
前記複製先静止点ディスクのデータを保存する前静止点保持ディスクと、
前記複製先静止点ディスクのデータを前記前静止点保持ディスクへ保存する前静止点保持手段と、
前記データ作成制御手段に前記複製先静止点ディスクおよび／または前記前静止点保持ディスクへのデータの複製の完了を通知する複製完了通知手段と、
を備えることを特徴とするデータ複製システム。
【請求項２】
前記データ複製手段は、前回のデータとの差分のデータの複製のみを行うことを特徴とする請求項１記載のデータ複製システム。
【請求項３】
前記データ作成制御手段は、前記遠隔サイトへの複製が完了するのを契機として、前記データ複製手段にデータ複製の開始を通知することを特徴とする請求項１または２記載のデータ複製システム。
【請求項４】
ネットワークを介して接続されている本番サイトと、その本番サイトの複製データを保存する遠隔サイトを利用したデータ複製方法であって、
前記本番サイトが、業務アプリケーション手段によって、業務アプリケーションで実行された処理に基づくデータを保存する業務ディスクに業務アプリケーションで実行された処理に基づくデータを書き込むステップと、
データ作成制御手段によって、静止点作成手段に対してデータ複製の開始を通知するステップと、
静止点作成手段によって、任意の時点における前記業務ディスクのデータを確定させて、その確定されたデータを任意の時点において確定された前記業務ディスクのデータを保存する複製元静止点ディスクへ保存するステップと、
静止点作成手段によって、データ作成制御手段に静止点作成完了を通知するステップと、
データ作成制御手段によって、前記静止点作成手段から静止点作成完了を確認した後、データ複製手段にデータ複製の開始を通知するステップと、
データ複製手段によって、前記ネットワークを介して前記複製元静止点ディスクのデータを前記遠隔サイトの前記複製元静止点ディスクのデータの複製データを保存する前記複製先静止点ディスクへ複製するステップと、を有し、
前記遠隔サイトが、前静止点保持手段によって、前記複製先静止点ディスクのデータを前記複製先静止点ディスクのデータを保存する前静止点保持ディスクへ保存するステップと、
複製完了通知手段によって、前記データ作成制御手段に前記複製先静止点ディスクおよび／または前記前静止点保持ディスクへのデータの複製の完了を通知するステップと、
を有することを特徴とするデータ複製方法。
【請求項５】
前記複製するステップにおいて、前記データ複製手段は、前回のデータとの差分のデータの複製のみを行うことを特徴とする請求項４載のデータ複製方法。
【請求項６】
前記データ複製の開始を通知するステップにおいて、前記データ作成制御手段は、前記遠隔サイトへの複製が完了するのを契機として、前記データ複製手段にデータ複製の開始を通知することを特徴とする請求項４または５記載のデータ複製方法。
【請求項７】
業務アプリケーションで実行された処理に基づくデータを保存する業務ディスクと、
任意の時点において確定された前記業務ディスクのデータを保存する複製元静止点ディスクと、
前記業務ディスクに業務アプリケーションで実行された処理に基づくデータを書き込む業務アプリケーション手段と、
静止点作成手段に対してデータ複製の開始を通知して、前記静止点作成手段から静止点作成完了を確認した後、データ複製手段にデータ複製の開始を通知するデータ作成制御手段と、
任意の時点における前記業務ディスクのデータを確定させて、その確定されたデータを前記複製元静止点ディスクへ保存する静止点作成手段と、
データ作成制御手段に静止点作成完了を通知する静止点作成手段と、
ネットワークを介して前記複製元静止点ディスクのデータを遠隔サイトの複製先静止点ディスクへ複製するデータ複製手段と、
を備えることを特徴とするデータ複製装置。
【請求項８】
前記データ複製手段は、前回のデータとの差分のデータの複製のみを行うことを特徴とする請求項７記載のデータ複製装置。
【請求項９】
前記データ作成制御手段は、前記遠隔サイトへの複製が完了するのを契機として、前記データ複製手段にデータ複製の開始を通知することを特徴とする請求項７または８記載のデータ複製装置。
【請求項１０】
本番サイトが、業務アプリケーション手段によって、業務アプリケーションで実行された処理に基づくデータを保存する業務ディスクに業務アプリケーションで実行された処理に基づくデータを書き込むステップと、
データ作成制御手段によって、静止点作成手段に対してデータ複製の開始を通知するステップと、
静止点作成手段によって、任意の時点における前記業務ディスクのデータを確定させて、その確定されたデータを任意の時点において確定された前記業務ディスクのデータを保存する複製元静止点ディスクへ保存するステップと、
静止点作成手段によって、データ作成制御手段に静止点作成完了を通知するステップと、
データ作成制御手段によって、前記静止点作成手段から静止点作成完了を確認した後、データ複製手段にデータ複製の開始を通知するステップと、
データ複製手段によって、ネットワークを介して前記複製元静止点ディスクのデータを遠隔サイトの前記複製元静止点ディスクのデータの複製データを保存する前記複製先静止点ディスクへ複製するステップと、を実行し、
前記遠隔サイトが、前静止点保持手段によって、前記複製先静止点ディスクのデータを前記複製先静止点ディスクのデータを保存する前静止点保持ディスクへ保存するステップと、
複製完了通知手段によって、前記データ作成制御手段に前記複製先静止点ディスクおよび／または前記前静止点保持ディスクへのデータの複製の完了を通知するステップと、
を実行することを特徴とするプログラム。
【請求項１１】
前記複製するステップにおいて、前記データ複製手段は、前回のデータとの差分のデータの複製のみを行うことを特徴とする請求項１０載のプログラム。
【請求項１２】
前記データ複製の開始を通知するステップにおいて、前記データ作成制御手段は、前記遠隔サイトへの複製が完了するのを契機として、前記データ複製手段にデータ複製の開始を通知することを特徴とする請求項１０または１１記載のプログラム。
【発明の詳細な説明】
【技術分野】
【０００１】
本発明は、本番サイトのデータ消失の際に備えてより新しい時点のデータ複製を遠隔サイト側に持つデータ複製システム、その方法、データ複製装置およびプログラムに関する。
【背景技術】
【０００２】
従来のサービスでは、災害発生等の本番サイトのデータ消失時に遠隔サイトで業務を再開する際に、どの程度の新しさのデータから業務を再開できるかという基準でサービスレベルを設定し、データベースの更新量の多寡を設計時に見積もり、それにサービスレベルに応じた機器を調達する必要があり、見積もりと実際のずれによって目標とするサービスレベルを達成できない場合には、ペナルティを課せられる可能性があった。
【０００３】
ここで、サーバの業務データベースに格納されたデータは、まず全体バックアップとして遠隔地のストレージセンタにおけるストレージ用データベースにバックアップされ、そしてサーバのトランザクションデータがストレージセンタに転送され、ストレージセンタではストレージ用データベースの全体バックアップを読み出し、トランザクション適用処理を行ないストレージ用データベースに再格納することによって、データベースのトランザクション発生に対応しデータベースを常時最新状態にできるとともに、災害発生時等に復旧を迅速に行なう技術が提案されている（例えば、特許文献１参照）。
【特許文献１】特開２００４−１７１５２９号公報
【発明の開示】
【発明が解決しようとする課題】
【０００４】
しかしながら、上述した従来例においては次のような問題点があった。
【０００５】
ある時点のトラック単位の差分を転送することにより、その時点の本番サイトのデータの物理的なコピーを遠隔サイトのディスク上へ作成する方式のデータ複製による災害対策ソリューションにおいて、データ更新が突発的に増減するような場合に、差分の転送間隔を一定とすると、データ更新が設計時に想定した量よりも多い場合には、時間内にデータのコピーが完了しないことによって、本番データ消失時に遠隔サイト側に残るコピーは転送間隔よりも古い時点になってしまう場合があるという問題点があった。
【０００６】
また、データ更新が少ない場合には、もっと新しい時点のデータの複製を送るだけの余裕があったとしても、転送間隔に応じた時間分の古いデータしか残らないという問題点があった。
【０００７】
そこで、本発明は、転送に用いる伝送機器の条件に応じて、可能な限り新しい複製を持つことができるデータ複製システム、その方法、データ複製装置およびプログラムを提供することを目的とする。
【課題を解決するための手段】
【０００８】
請求項１記載の発明は、本番サイトと、その本番サイトの複製データを保存する遠隔サイトが、ネットワークを介して接続されているデータ複製システムであって、本番サイトは、業務アプリケーションで実行された処理に基づくデータを保存する業務ディスクと、任意の時点において確定された業務ディスクのデータを保存する複製元静止点ディスクと、業務ディスクに業務アプリケーションで実行された処理に基づくデータを書き込む業務アプリケーション手段と、静止点作成手段に対してデータ複製の開始を通知して、静止点作成手段から静止点作成完了を確認した後、データ複製手段にデータ複製の開始を通知するデータ作成制御手段と、任意の時点における業務ディスクのデータを確定させて、その確定されたデータを複製元静止点ディスクへ保存する静止点作成手段と、データ作成制御手段に静止点作成完了を通知する静止点作成手段と、ネットワークを介して複製元静止点ディスクのデータを遠隔サイトの複製先静止点ディスクへ複製するデータ複製手段と、を備え、遠隔サイトは、複製元静止点ディスクのデータの複製データを保存する複製先静止点ディスクと、複製先静止点ディスクのデータを保存する前静止点保持ディスクと、複製先静止点ディスクのデータを前静止点保持ディスクへ保存する前静止点保持手段と、データ作成制御手段に複製先静止点ディスクおよび／または前静止点保持ディスクへのデータの複製の完了を通知する複製完了通知手段とを備えることを特徴とするデータ複製システムである。
【０００９】
請求項２記載の発明は、請求項１記載のデータ複製システムにおいて、データ複製手段は、前回のデータとの差分のデータの複製のみを行う。
【００１０】
請求項３記載の発明は、請求項１または２記載のデータ複製システムにおいて、データ作成制御手段は、遠隔サイトへの複製が完了するのを契機として、データ複製手段にデータ複製の開始を通知する。
【００１１】
請求項４記載の発明は、ネットワークを介して接続されている本番サイトと、その本番サイトの複製データを保存する遠隔サイトを利用したデータ複製方法であって、本番サイトが、業務アプリケーション手段によって、業務アプリケーションで実行された処理に基づくデータを保存する業務ディスクに業務アプリケーションで実行された処理に基づくデータを書き込むステップと、データ作成制御手段によって、静止点作成手段に対してデータ複製の開始を通知するステップと、静止点作成手段によって、任意の時点における業務ディスクのデータを確定させて、その確定されたデータを任意の時点において確定された業務ディスクのデータを保存する複製元静止点ディスクへ保存するステップと、静止点作成手段によって、データ作成制御手段に静止点作成完了を通知するステップと、データ作成制御手段によって、静止点作成手段から静止点作成完了を確認した後、データ複製手段にデータ複製の開始を通知するステップと、データ複製手段によって、ネットワークを介して複製元静止点ディスクのデータを遠隔サイトの複製元静止点ディスクのデータの複製データを保存する複製先静止点ディスクへ複製するステップとを有し、遠隔サイトが、前静止点保持手段によって、複製先静止点ディスクのデータを複製先静止点ディスクのデータを保存する前静止点保持ディスクへ保存するステップと、複製完了通知手段によって、データ作成制御手段に複製先静止点ディスクおよび／または前静止点保持ディスクへのデータの複製の完了を通知するステップとを有することを特徴とするデータ複製方法である。
【００１２】
請求項５記載の発明は、請求項４載のデータ複製方法において、複製するステップにおいて、データ複製手段は、前回のデータとの差分のデータの複製のみを行う。
【００１３】
請求項６記載の発明は、請求項４または５記載のデータ複製方法において、データ複製の開始を通知するステップにおいて、データ作成制御手段は、遠隔サイトへの複製が完了するのを契機として、データ複製手段にデータ複製の開始を通知する。
【００１４】
請求項７記載の発明は、業務アプリケーションで実行された処理に基づくデータを保存する業務ディスクと、任意の時点において確定された業務ディスクのデータを保存する複製元静止点ディスクと、業務ディスクに業務アプリケーションで実行された処理に基づくデータを書き込む業務アプリケーション手段と、静止点作成手段に対してデータ複製の開始を通知して、静止点作成手段から静止点作成完了を確認した後、データ複製手段にデータ複製の開始を通知するデータ作成制御手段と、任意の時点における業務ディスクのデータを確定させて、その確定されたデータを複製元静止点ディスクへ保存する静止点作成手段と、データ作成制御手段に静止点作成完了を通知する静止点作成手段と、ネットワークを介して複製元静止点ディスクのデータを遠隔サイトの複製先静止点ディスクへ複製するデータ複製手段とを備えることを特徴とするデータ複製装置である。
【００１５】
請求項８記載の発明は、請求項７記載のデータ複製装置において、データ複製手段は、前回のデータとの差分のデータの複製のみを行う。
【００１６】
請求項９記載の発明は、請求項７または８記載のデータ複製装置において、データ作成制御手段は、遠隔サイトへの複製が完了するのを契機として、データ複製手段にデータ複製の開始を通知する。
【００１７】
請求項１０記載の発明は、本番サイトが、業務アプリケーション手段によって、業務アプリケーションで実行された処理に基づくデータを保存する業務ディスクに業務アプリケーションで実行された処理に基づくデータを書き込むステップと、データ作成制御手段によって、静止点作成手段に対してデータ複製の開始を通知するステップと、静止点作成手段によって、任意の時点における業務ディスクのデータを確定させて、その確定されたデータを任意の時点において確定された業務ディスクのデータを保存する複製元静止点ディスクへ保存するステップと、静止点作成手段によって、データ作成制御手段に静止点作成完了を通知するステップと、データ作成制御手段によって、静止点作成手段から静止点作成完了を確認した後、データ複製手段にデータ複製の開始を通知するステップと、データ複製手段によって、ネットワークを介して複製元静止点ディスクのデータを遠隔サイトの複製元静止点ディスクのデータの複製データを保存する複製先静止点ディスクへ複製するステップとを実行し、遠隔サイトが、前静止点保持手段によって、複製先静止点ディスクのデータを複製先静止点ディスクのデータを保存する前静止点保持ディスクへ保存するステップと、複製完了通知手段によって、データ作成制御手段に複製先静止点ディスクおよび／または前静止点保持ディスクへのデータの複製の完了を通知するステップとを実行することを特徴とするプログラムである。
【００１８】
請求項１１記載の発明は、請求項１０載のプログラムにおいて、複製するステップにおいて、データ複製手段は、前回のデータとの差分のデータの複製のみを行う。
【００１９】
請求項１２記載の発明は、請求項１０または１１記載のプログラムにおいて、データ複製の開始を通知するステップにおいて、データ作成制御手段は、遠隔サイトへの複製が完了するのを契機として、データ複製手段にデータ複製の開始を通知する。
【発明の効果】
【００２０】
本発明のデータ複製システム、その方法、データ複製装置およびプログラムによれば、転送に用いる伝送機器の条件に応じて、可能な限り新しい複製を持つことができる。
【発明を実施するための最良の形態】
【００２１】
次に、本発明の一実施の形態の構成について図面を参照して説明する。
【００２２】
図１を参照すると、本実施の形態におけるデータ複製システムは、本番サイト１０と本番サイト１０の複製データをもつ遠隔サイト２０から構成されており、本番サイト１０と遠隔サイト２０はネットワーク１００を介して接続されている。なお、ネットワーク１００は、任意のネットワークであってよく、例えば、光ファイバ、インターネット、公衆回線、ＬＡＮ（LocＡl ＡreＡ Network）、ＡＤＳＬ（Ａsymmetric DigitＡl Subscriber Line）等である。なお、通信方法は、有線であっても、無線であってもよい。
【００２３】
本番サイト１０は、業務サーバ等であり、例えば、ワークステーション等の情報処理装置である。
【００２４】
また、本番サイト１０は、業務アプリケーション部１１と、業務ディスク１２と、データ作成制御部１３と、静止点作成部１４と、複製元静止点ディスク１５と、データ複製部１６を備えている。
【００２５】
ここで、業務アプリケーション部１１は、種々のソフトウエアを提供し、実行された処理に基づくデータ等を業務ディスク１２に書き込む機能を有している。
【００２６】
業務ディスク１２は、業務アプリケーション部１１からのデータの登録、変更、削除等の命令に応じてデータを格納する機能を有している。例えば、所定のデータベースを備え、種々のテーブルが設けられていてもよい。
【００２７】
データ作成制御部１３は、静止点作成部１４に対して処理開始を通知する機能を有している。また、静止点作成部１４からの通知により静止点作成完了を確認した後、データ複製部１６に対してデータ複製開始を通知する機能を有している。さらに、複製完了通知部２３からデータ複製完了の通知を受け取る機能を有している。
【００２８】
静止点作成部１４は、業務アプリケーション部１１からのデータの書き込みを一時的に保留する等によって、任意の時点における業務ディスク１２のデータを確定させて、その確定されたデータを複製元静止点ディスク１５へ反映する機能を有している。また、データ作成制御部１３に対して静止点作成完了を通知する機能を有している。
【００２９】
複製元静止点ディスク１５は、任意の時点において確定された業務ディスク１２のデータを格納する機能を有している。例えば、所定のデータベースを備え、種々のテーブルが設けられていてもよい。
【００３０】
データ複製部１６は、ネットワーク１００を介して、本番サイト１０上の複製元静止点ディスク１５のデータを遠隔サイト２０上の複製先静止点ディスク２１へ複製する機能を有している。このとき前回のデータとの差分のデータの複製のみを行うことであってもよい。
【００３１】
遠隔サイト２０は、バックアップ等を目的として本番サイト１０の複製データを保存すサーバ等であり、例えば、ワークステーション等の情報処理装置である。また、遠隔サイト２０は、複製先静止点ディスク２１と、前静止点保持部２２と、複製完了通知部２３と、前静止点保持ディスク２４を備えている。
【００３２】
複製先静止点ディスク２１は、本番サイト１０上の複製元静止点ディスク１５のデータの複製データを格納する機能を有している。例えば、所定のデータベースを備え、種々のテーブルが設けられていてもよい。
【００３３】
前静止点保持部２２は、複製の完了した複製先静止点ディスク２１の内容を次のデータ複製開始時まで前静止点保持ディスク２４へ保存する機能を有している。
【００３４】
複製完了通知部２３は、データ作成制御部１３に対して複製先静止点ディスク２１および／または前静止点保持ディスク２４へのデータの複製の完了を通知する機能を有している。
【００３５】
前静止点保持ディスク２４は、複製の完了した複製先静止点ディスク２１の複製データを格納する機能を有している。例えば、所定のデータベースを備え、種々のテーブルが設けられていてもよい。
【００３６】
次に、本実施の形態における、データ複製処理のフローを図２のシーケンス図に基づいて詳細に説明するが、その前に図４を参照して、従来のシステムについて補足的に説明する。
【００３７】
図４を参照すると、従来のシステムでは、一定の処理間隔で一連の処理を起動していた。すなわち、静止点作成・遠隔データ複製・静止点保持という一連の処理が行なわれ、その後に、次の一連の処理が開始されていた。
【００３８】
したがって、どんなに時間当たりのデータ更新量が少ない場合であっても静止点の保持間隔は、処理間隔よりも少なくはならなかった。
【００３９】
一方、図３を参照すると、本実施の形態におけるデータシステムでは、サービスレベルを特定して転送の間隔を定めることなく、一連の処理を起動する。すなわち、静止点作成・遠隔データ複製・静止点保持という一連の処理が行なわれ、転送の完了後すぐに、次の転送サイクルを開始する。
【００４０】
したがって、時間当たりのデータ更新量が少ない場合には、静止点の保持間隔は少なくなり、処理間隔よりも少なくらるときもり、選択した環境条件の中で、可能な限りのサービスレベルを提供することができる。
【００４１】
さて、図２のシーケンス図を参照すると、まず、本番サイト１０の業務アプリケーション部１１は、業務アプリケーションで実行された処理に基づくデータ等を業務ディスク１２に書き込む（ステップＳ２０１）。業務ディスク１２の所定のテーブルにデータが格納されることであってもよい。
【００４２】
次に、データ作成制御部１３は、静止点作成部１４に対してデータ複製の開始を通知する（ステップＳ２０２）。
【００４３】
データ複製の開始を通知された静止点作成部１４は、業務アプリケーション部１１からのデータの書き込みを一時的に保留して、任意の時点における業務ディスク１２のデータを確定させて、その確定されたデータを複製元静止点ディスク１５へ保存する（ステップＳ２０３）。
【００４４】
そして、静止点作成部１４は、データ作成制御部１３に対して静止点作成完了を通知する（ステップＳ２０４）。
【００４５】
次に、データ作成制御部１３は、静止点作成部１４からの通知により静止点作成完了を確認した後、データ複製部１６に対してデータ複製開始を通知する（ステップＳ２０５）。
【００４６】
データ複製部１６は、ネットワーク１００を介して、本番サイト１０上の複製元静止点ディスク１５のデータを遠隔サイト２０上の複製先静止点ディスク２１へ複製する（ステップＳ２０６）。複製先静止点ディスク２１の所定のテーブルにデータが格納されることであってもよい。なお、このとき前回のデータとの差分のデータの複製のみを行うことであってもよい。
【００４７】
遠隔サイト２０の前静止点保持部２２は、複製の完了した複製先静止点ディスク２１の内容を次のデータ複製開始時まで前静止点保持ディスク２４へ保存する（ステップＳ２０７）。前静止点保持ディスク２４の所定のテーブルにデータが格納されることであってもよい。
【００４８】
次に、遠隔サイト２０の複製完了通知部２３は、本番サイト１０のデータ作成制御部１３に対して複製先静止点ディスク２１および／または前静止点保持ディスク２４へのデータの複製の完了を通知する（ステップＳ２０８）。
【００４９】
次に、データ作成制御部１３は、複製完了通知部２３からデータ複製完了の通知を受け取る（ステップＳ２０９）。そして、ただちに、静止点作成部１４に対してデータ複製の開始を再び通知して、以下、同様の処理を繰り返す。
【００５０】
上記の実施の形態によれば、ある時点のトラック単位の差分を転送することにより、その時点の本番サイトのデータの物理的なコピーを遠隔サイトのディスク上へ作成する方式のデータ複製を利用し、静止点データを遠隔サイトのディスク上へ複製するサービスにおいて、遠隔サイトへの複製が完了するのを契機として、次の静止点データの複製を開始することにより、被災等で本番サイトのデータが失われた際に、従来より新しい時点のデータでの業務再開が可能となる。これにより従来の定期的に静止点データを作成し、それを遠隔サイトのディスク上へ複製していたことによる不都合を回避することができる。
【００５１】
なお、上述した各実施の形態は、本発明の好適な実施の形態であり、本発明の要旨を逸脱しない範囲内において種々変更実施が可能である。例えば、上記の実施の形態における本番サイト１０、遠隔サイト２０の機能を実現するためのプログラムを各装置に読込ませて実行することにより本システムの機能を実現する処理を行ってもよい。さらに、そのプログラムは、コンピュータ読み取り可能な記録媒体であるＣＤ−ＲＯＭ、光磁気ディスク等を介して、または伝送媒体であるインターネット、電話回線等を介して伝送波により他のコンピュータシステムに伝送されてもよい。
【００５２】
上述した各実施の形態は、本番サイト１０が１個の装置として接続されているシステム構成について説明したが、各機能毎に複数のサーバ装置等が追加された構成にも適用可能であることはもちろんである。
【図面の簡単な説明】
【００５３】
【図１】本発明の実施形態におけるデータ複製システムの概略構成を示す図である。
【図２】本発明の実施形態におけるデータ複製処理動作を示すシーケンス図である。
【図３】本発明の実施形態におけるデータ複製処理の流れの一例を示す図である。
【図４】従来のデータ複製処理の流れの一例を示す図である。
【符号の説明】
【００５４】
１０    本番サイト
１１    業務アプリケーション部
１２    業務ディスク
１３    データ作成制御部
１４    静止点作成部
１５    複製元静止点ディスク
１６    データ複製部
２０    遠隔サイト
２１    複製先静止点ディスク
２２    前静止点保持部
２３    複製完了通知部
２４    前静止点保持ディスク
１００    ネットワーク
【図１】
2006127421.tif 000003
【図２】
2006127421.tif 000004
【図３】
2006127421.tif 000005
【図４】
2006127421.tif 000006